(57)【特許請求の範囲】
【請求項１】
篭本体と、前記篭本体に複数の食器の周端部を重ね方向に沿って支持する複数の支持体を有する食器篭であって、前記食器の一方の半周側の周端部を重ね方向に沿って支持する篭本体に固定した複数の固定食器支持体と、前記食器の他方の半周側の周端部を重ね方向に沿って支持する押え用の複数の可動食器支持体と、前記可動食器支持体の長手方向の両端の各々に固定した回動部材と、前記篭本体に備えた回動部材の回動支点部と、前記可動食器支持体を、回動支点部を中心として食器の周端部を支持する位置から離れる方向に回動付勢する回動付勢手段と、前記可動食器支持体の各々を食器の周端部を支持する位置に係止する係止手段と、を備え、
前記係止手段による可動食器支持体の係止解除の操作によって、前記可動食器支持体の各々を前記回動付勢手段の付勢力により回動させて食器の周端部を支持する位置から可動食器支持体同士が互いに離れる方向で、かつ食器の外径よりも大きい位置に移動させ、前記可動食器支持体間から食器の収納および取出しを行うとともに、可動食器支持体の各々を、食器の外径よりも大きい位置に移動させたとき、縦方向の姿勢とした篭本体の上面の開口部および正面の開口部から食器の収納および取出しを可能としたことを特徴とする食器篭。
【請求項２】
係止手段は、可動食器支持体を食器の周端部を支持する位置に係止する先端係止部と、前記先端係止部に有する傾斜面と、食器の周端部を支持する位置にある前記可動食器支持体を係止する方向に付勢する係止付勢手段と、を備え、前記可動食器支持体を前記先端係止部の傾斜面へ当接、摺動させて前記係止付勢手段の付勢力に抗して先端係止部を移動させ、前記可動食器支持体が先端係止部の傾斜面の先端を通過した後、前記係止付勢手段の付勢力により先端係止部を移動させて可動食器支持体を食器の周端部を支持する位置に係止することを特徴とする請求項１に記載の食器篭。
【請求項３】
積み重ねた複数の食器を出し入れする縦方向の姿勢にした篭本体の載置面側となる下面側に係止手段を配置し、前記係止手段による可動食器支持体の係止解除を篭本体の内側から操作できるようにしたことを特徴とする請求項１または２に記載の食器篭。
【請求項４】
複数の食器の重ね方向の先頭に位置する食器の表面と、最後尾に位置する食器の裏面との距離を調整する食器位置調整部材を可動食器支持体および固定食器支持体に備え、前記食器位置調整部材を可動食器支持体とともに食器の外径よりも大きい位置に各々移動させることを特徴とする請求項１〜３のいずれか１項に記載の食器篭。
【請求項５】
複数の食器を収納した後、篭本体を縦方向から横方向の姿勢とし、固定食器支持体を下方側、可動食器支持体を上方側として運搬する取手を篭本体に備えたことを特徴とする請求項１〜４のいずれか１項に記載の食器篭。
【発明の詳細な説明】
【技術分野】
【０００１】
本発明は、特に学校、病院等の給食のように皿、お椀、トレイなどの被洗浄物である食器を比較的大量に使用する状況において、複数の食器を重ねた状態で収納する食器篭に関するものである。
【背景技術】
【０００２】
従来の複数の食器を収納し、この食器の運搬または食器の洗浄等に供する食器篭としては、下記のものが知られている。
【０００３】
特許文献１に記載されているように、上下方向に積層された複数の被収容物（食器）の側方へのずれを制限することで被収容物の積層した状態を保持する側方当接部（支持体）を有し、この側方当接部の一方側を、下端側を支点として縦方向に回動させて倒し、被収容物の収納および取り出しを行うものがある。
【０００４】
また、特許文献２に記載されているように、食器を支持する支持体を各々に有する収納部と蓋部とに分割し、前記蓋部を、収納部に対して一方を回動支点として横方向に回動させ、食器の収納および取り出しを行うものがある。
【先行技術文献】
【特許文献】
【０００５】
【特許文献１】特開２００４−２１７２８４号公報
【特許文献２】特開平１０−１３７１７２号公報
【発明の概要】
【発明が解決しようとする課題】
【０００６】
しかしながら、前記特許文献１に記載されたものは、食器（被収容物）の収納および取り出しを行う際、複数の食器の周端部を支持する複数の支持体（側方当接部）の一方側を、下端側を支点として縦方向に回動させて倒す構成となっているため、倒した支持体の占めるスペースが必要で、広い作業スペースが必要となる。また、倒した支持体がむき出しになっているため、これを避けながらの食器の収納および取り出しとなる。さらに、回動させる支持体のサイズ、質量が大きく、作業性、操作性の面からも課題を有している。また、複数の食器を収納後、支持体を再び縦方向に回動させて係合部を介して固定するが、この固定操作を万一忘れて把持部（取手）を持って運搬しようした場合、食器が脱落する恐れがある。
【０００７】
また、前記特許文献２に記載されたものは、食器（被収容物）の収納および取り出しを行う際、複数の食器の周端部を支持する複数の支持体を有する蓋部を、一方を回動支点として横方向開閉させる構成となっているため、蓋部の回動軌跡スペースおよび開状態時において蓋部の占めるスペースが必要で、広い作業スペースが必要となる。また、篭本体と蓋部を二分割して構成するため、構成の簡素化が求められている。
【０００８】
本発明は、前記従来の課題を解決するもので、食器の収納および取り出しを行う際の省スペース化を図るとともに、操作および構成を簡素化した食器篭を提供することを目的とするものである。
【課題を解決するための手段】
【０００９】
本発明の食器篭は、篭本体と、前記篭本体に複数の食器の周端部を重ね方向に沿って支持する複数の支持体を有する食器篭であって、前記食器の一方の半周側の周端部を重ね方向に沿って支持する篭本体に固定した複数の固定食器支持体と、前記食器の他方の半周側の周端部を重ね方向に沿って支持する押え用の複数の可動食器支持体と、前記可動食器支持体の長手方向の両端の各々に固定した回動部材と、前記篭本体に備えた回動部材の回動支点部と、前記可動食器支持体を、回動支点部を中心として食器の周端部を支持する位置から離れる方向に回動付勢する回動付勢手段と、前記可動食器支持体の各々を食器の周端部を支持する位置に係止する係止手段と、を備え、
前記係止手段による可動食器支持体の係止解除の操作によって、前記可動食器支持体の各々を前記回動付勢手段の付勢力により回動させて食器の周端部を支持する位置から可動食器支持体同士が互いに離れる方向で、かつ食器の外径よりも大きい位置に移動させ、前記可動食器支持体間から食器の収納および取出しを行うとともに、可動食器支持体の各々を、食器の外径よりも大きい位置に移動させたとき、縦方向の姿勢とした篭本体の上面の開口部および正面の開口部から食器の収納および取出しを可能としたことを特徴とするものである。
【発明の効果】
【００１０】
本発明の食器篭によれば、食器の収納および取り出しを行う際の省スペース化が図れるとともに、操作および構成を簡素化することができる。
【図面の簡単な説明】
【００１１】
【図１】本発明の実施形態１の縦方向の姿勢の食器篭における食器の収納または取出し時の状態を示す斜視図。
【図２】食器の収納時の状態を示す斜視図。
【図３】（ａ）トーションバネの付勢開放状態時の斜視図、（ｂ）同付勢状態時の斜視図。
【図４】（ａ）図1、図２における食器位置規制部材の平面図、（ｂ）同食器位置規制部材の側面図。
【図５】可動食器支持体を係止する状態を示す係止機構部の斜視図。
【図６】（ａ）〜（ｃ）可動食器支持体を係止する状態を示す係止機構部の部分拡大図。
【図７】食器収納後における可動食器支持体の係止後の係止機構部を示す斜視図。
【図８】可動食器支持体の係止解除時の係止機構部を示す斜視図。
【図９】食器篭に食器を収納した後の状態を示す図１の側方図。
【図１０】食器を収納した食器篭の横方向の姿勢における構成図。
【図１１】図１０における側面図。
【図１２】本発明の実施形態２の縦方向の姿勢の食器篭の正面図。
【図１３】図１２における上面図。
【図１４】本発明の実施形態３の縦方向の姿勢の食器篭における食器の収納または取出し時の状態を示す斜視図。
【図１５】同食器の収納時の状態を示す斜視図。
【発明を実施するための形態】
【００１２】
本発明の請求項１記載の発明は、篭本体と、前記篭本体に複数の食器の周端部を重ね方向に沿って支持する複数の支持体を有する食器篭であって、前記食器の一方の半周側の周端部を重ね方向に沿って支持する篭本体に固定した複数の固定食器支持体と、前記食器の他方の半周側の周端部を重ね方向に沿って支持する押え用の複数の可動食器支持体と、前記可動食器支持体の長手方向の両端の各々に固定した回動部材と、前記篭本体に備えた回動部材の回動支点部と、前記可動食器支持体を、回動支点部を中心として食器の周端部を支持する位置から離れる方向に回動付勢する回動付勢手段と、前記可動食器支持体の各々を食器の周端部を支持する位置に係止する係止手段と、を備え、
前記係止手段による可動食器支持体の係止解除の操作によって、前記可動食器支持体の各々を前記回動付勢手段の付勢力により回動させて食器の周端部を支持する位置から可動食器支持体同士が互いに離れる方向で、かつ食器の外径よりも大きい位置に移動させ、前記可動食器支持体間から食器の収納および取出しを行うとともに、可動食器支持体の各々を、食器の外径よりも大きい位置に移動させたとき、縦方向の姿勢とした篭本体の上面の開口部および正面の開口部から食器の収納および取出しを可能としたことを特徴とする食器篭としたものである。
【００１３】
これにより、複数の可動食器支持体の各々を互いに離して、食器の周端部を支持する位置から食器が通過できる位置に移動させ、この移動させた可動食器支持体間から食器の収納および取出しを可能とするもので、各々の可動食器支持体の移動距離が小さく、前記従来の食器篭のような広い作業スペースを必要としない。
【００１４】
さらに、係止手段による可動食器支持体の係止解除の操作のみで、可動食器支持体の各々を回動付勢手段の付勢力により回動させて食器が通過できる位置に自動的に移動させることができる。
【００１５】
したがって、食器の収納および取り出しを行う際の省スペース化が図れるとともに、操作および構成を簡素化することができる。
【００１６】
また、収納および取出し方向が多面となり、より容易に食器の出し入れを行うことができる。さらに、例えば縦方向の姿勢の篭本体を載せる作業台等の高さが比較的高い場合には、正面の開口部から食器の収納および取出しを行い、作業台等の高さが比較的低い場合には、上面の開口部から食器の収納および取出しを行えるようにして、状況に応じてさらに容易に食器の出し入れを行うことができる。
【００１７】
本発明の請求項２記載の発明は、請求項１記載の発明において、係止手段は、可動食器支持体を食器の周端部を支持する位置に係止する先端係止部と、前記先端係止部に有する傾斜面と、食器の周端部を支持する位置にある前記可動食器支持体を係止する方向に付勢する係止付勢手段と、を備え、前記可動食器支持体を前記先端係止部の傾斜面へ当接、摺動させて前記係止付勢手段の付勢力に抗して先端係止部を移動させ、前記可動食器支持体が先端係止部の傾斜面の先端を通過した後、前記係止付勢手段の付勢力により係止部を移動させて可動食器支持体を食器の周端部を支持する位置に係止することを特徴とする食器篭としたものである。
【００１８】
これにより、係止手段を何ら操作することなく、可動食器支持体を回動付勢手段の付勢力に抗して回動させるのみで、可動食器支持体を、食器の周端部を支持する位置に係止することができる。したがって、可動食器支持体の係止を確実に行うことができるとともに操作を簡素化することができる。
【００１９】
本発明の請求項３記載の発明は、請求項１または２に記載の発明において、積み重ねた複数の食器を出し入れする縦方向の姿勢にした篭本体の載置面側となる下面側に係止手段を配置し、前記係止手段による可動食器支持体の係止解除を篭本体の内側から操作できるようにしたことを特徴とする食器篭としたものである。
【００２０】
これにより、食器を収納するときの縦方向の姿勢にした篭本体の載置面（例えば作業台）の高さが低い場合、係止手段が篭本体の載置面側となる下面側に位置することによって、係止手段の操作目線が斜め上側から下側となり操作を確実に、容易に行うことができる。
【００２１】
本発明の請求項４記載の発明は、請求項１〜３のいずれか１項に記載の発明において、複数の食器の重ね方向の先頭に位置する食器の表面と、最後尾に位置する食器の裏面との距離を調整する食器位置調整部材を可動食器支持体および固定食器支持体に備え、前記食器位置調整部材を可動食器支持体とともに食器の外径よりも大きい位置に各々移動させることを特徴とする食器篭としたものである。
【００２２】
これにより、可動食器支持体とともに食器位置調整部材も移動し、かつ食器位置調整部材間は食器の外径よりも大きい位置に各々移動することで食器の収納および取り出しをより容易に行うことができる。
【００２３】
本発明の請求項５記載の発明は、請求項１〜４のいずれか１項に記載の発明において、複数の食器を収納した後、篭本体を縦方向から横方向の姿勢とし、固定食器支持体を下方側、可動食器支持体を上方側として運搬する取手を篭本体に備えたことを特徴とする食器篭としたものである。
【００２４】
これにより、可動食器支持体の回動機構部、係止機構部（係止手段）にかかる振動、衝撃力が弱められる。したがって、可動食器支持体の回動機構部、係止機構部（係止手段）の構成の簡素化、耐久性の向上を図ることができる。
【００２５】
さらに、可動食器支持体によって、食器の飛び出し、脱落、食器の破損を防止することができる。
【００２６】
さらに、複数の食器を収納した後、可動食器支持体を食器の周端部を支持する位置に回動、移動させる操作、および係止機構部（係止手段）によって可動食器支持体を係止するまでの操作を万一行わず、複数の食器を収納した縦方向の姿勢の食器篭を、取手を持って横方向（水平方向）の姿勢としてしまうことがあっても、食器の収納、取り出しを行う開口部が上方側となっていることから食器の飛び出し、脱落、食器の破損を防止することができる。
【００２７】
以下、本発明の実施の形態について図面を参照しながら説明する。
（実施形態１）
本発明の実施形態１の食器篭について図１〜図１１を参照しながら説明する。先ず、本発明の実施の形態１の食器篭の基本的な構成を説明する。
【００２８】
篭本体１は、図１、図２に示すように環状に形成した枠線材２、３と、この枠線材２、３を溶接等により連結固定する連結線材４、５、６、７、８の各々によって外形を四角形状に構成している。また、枠線材２、３の間にはコの字状に形成した中線材９、１０が溶接等により線材４、５、６、７、８に連結固定してある。枠線材２には連結線材１１、１２、さらに、枠線材３には連結線材１３が連結固定してある。また、連結線材５、６にこれを回動支点とした取手１４、１５を各々取り付けている。なお、篭本体１は、例えばステンレス材等を用いた円形状の線材により構成しているが、板状の部材で構成してもよい。また、外形を円形状に構成してもよく、実施形態の構成に限定するものではない。
【００２９】
枠線材２、３の間には溶接等により固定部材１６、１７、１８、１９が連結固定してあり、固定部材１６、１７上に食器２００の裏面側が載り、食器の裏面側の位置を規制する受板（食器位置規制部材）２０が固定してある。
【００３０】
固定部材１７、１９間には、複数重ねた丸形状の食器２００の一方（食器の収納方向と対向する側）の半周側の周端部を支持する固定食器支持体２１、２２を有し、固定食器支持体２１、２２の長手方向の上下両端部は固定部材１７、１９の各々に固定している。
【００３１】
また、複数重ねた丸形状の食器２００の他方（食器の収納方向側、開口部３００側）の半周側の周端部を支持する可動食器支持体２３を有し、この可動食器支持体２３の長手方向の上下両端部は回動部材２５、２６の各々に固定している。
【００３２】
固定食器支持体２１、２２、および可動食器支持体２３、２４の各々は、断面が丸形状の棒状体とし、この表面には樹脂コーティングが施されている。
【００３３】
回動部材２５は回動支点部２７を介して固定部材１６に支持されている。また、固定部材１６には、回動部材２５の食器２００の周端部を支持する位置（篭本体１の内方向）への回動範囲を規制する回動規制突部３３を設けている。また、回動部材２５の外方（篭本体１の右側面側）への回動範囲は、回動部材２５が連結線材１１に接触し規制されるようになっている。
【００３４】
回動部材２６は回動支点部２８を介して固定部材１８に支持されている。また、固定部材１８には、回動部材２６の食器２００の周端部を支持する位置（篭本体１の内側方向）への回動範囲を規制する回動規制突部３５を設けている。また、回動部材２６の外方（篭本体１の右側面側）への回動範囲は、回動部材２６が連結線材１１に接触し規制されるようになっている。
【００３５】
また、複数重ねた丸形状の食器２００の他方（食器の収納方向側、開口部３００側）の半周側の周端部を支持する可動食器支持体２４を有し、この可動食器支持体２４の長手方向の上下両端部を回動部材２９、３０の各々に固定している。
【００３６】
回動部材２９は回動支点部３１を介して固定部材１６に支持されている。また、固定部材１６には、回動部材２９の食器２００の周端部を支持する位置（篭本体１の内方向）への回動範囲を規制する回動規制突部３４を設けている。また、回動部材２９の外方（篭本体１の左側面側）への回動範囲は、回動部材２９が枠線材３に形成した突部３ａに接触し規制されるようになっている。
【００３７】
回動部材３０は回動支点部３２を介して固定部材１８に支持されている。また、固定部材１８には、回動部材３０の食器２００の周端部を支持する位置（篭本体１の内方向）への回動範囲を規制する回動規制突部３６を設けている。
【００３８】
また、回動部材２５、２９の各々に、トーションバネ（ねじり圧縮コイルバネ、回動付勢手段）５４、５５を備えている。このトーションバネ５４、５５は、図３（ａ）の付勢開放状態時の斜視図、および、図３（ｂ）の付勢状態時の斜視図に示すようにコイル部５４ａ、５５ａ、直線部５４ｂ、５４ｃ、５５ｂ、５５ｃで構成されている。コイル部５４ａ、５５ａの中心が各々回動支点部２７、３１に挿入され、直線部５４ｂが回動規制突部３３に接触し、直線部５４ｃが回動部材２５に形成した付勢受突部２５ａに接触している。さらに、直線部５５ｂが回動規制突部３４に接触し、直線部５５ｃが回動部材２９に形成した付勢受突部２９ａに接触している。前記トーションバネ５４、５５によって、回動部材２５、２９を、回動支点部２７、３１を中心として回動規制突部３３、３４と対向する側に回動するように付勢力を与えるものである。
【００３９】
回動部材２５、２６、２９、３０、回動支点部２７、２８、３１、３２、トーションバネ（回動付勢手段）５４、５５により可動食器支持体２３、２４の回動機構部を構成しているものである。
【００４０】
なお、作業台等に縦方向（鉛直方向）に載置した篭本体１は、受台２０側を底面、受台２０と対向する上側を上面、固定食器支持体２１、２２側を後面、可動食器支持体２３、２４側を正面とし、さらに枠線材２側を右側面、枠線材３側を左側面として構成している。
【００４１】
図１、図２に示す食器篭において、可動食器支持体２３、２４が位置する正面側に開口部３００を有し、この開口部３００を介して複数の食器２００の収納および取出しを行うものである。さらにいえば、開口部３００を有する正面側が食器２００の収納および取出し方向である。また、固定食器支持体２１、２２、可動食器支持体２３、２４、および受台２０、食器位置規制部材３７に囲まれた空間に複数の食器２００の収納部１００を構成しているものである。
【００４２】
また、固定食器支持体２１、２２、可動食器支持体２３、２４の各々の所定位置には、収納時における重ねた食器の表面側の位置を規制する食器位置規制部材３７が固定されている。この食器位置規制部材３７の構成の一例を図４に示す。図４（ａ）は、図1、図２における食器位置規制部材３７の平面図、図４（ｂ）は同食器位置規制部材３７の側面図を示す。
【００４３】
食器位置規制部材３７は、半割り状に形成した規制部材半部３７ａ、３７ｂによって構成され、この各々の中心側の内面部３７ｃ、３７ｄによって断面円形状の固定食器支持体２１、２２、可動食器支持体２３、２４の各々の外面を挟んで、ボルト３８ａ、ナット３８ｂにより固定する。食器位置規制部材３７は、ナット３８ｂの締め付けを緩め、固定食器支持体２１、２２、可動食器支持体２３、２４の各々に固定する位置を調節可能としてある。
【００４４】
図５、図６、図７、図８に係止機構部（係止手段）３９の構成を示す。図５は可動食器支持体を係止する状態を示す係止機構部の斜視図、図６（ａ）〜（ｃ）は可動食器支持体を係止する状態を示す係止機構部の部分拡大図、図７は食器収納後における可動食器支持体２３、２４の係止後の係止機構部３９の斜視図、図８は可動食器支持体２３、２４の係止解除時の係止機構部３９の斜視図である。
【００４５】
固定部材１６に筒状の支持リング４０、４１、４７、４８を溶接等により固定し、この支持リング４０、４１、４７、４８により直線の可動線材４２、４９の各々を移動自在に支持している。また、可動線材４２、４９は摘み部（操作部）４５、５２、および補強部４６、５３と一体になって形成している。
【００４６】
補強部４６、５３の一端は各々可動線材４２、４９に固定され、支持リング４１、４８と補強部４６、５３の各々の間において、圧縮コイルバネ（係止付勢手段）４４、５１が可動線材４２、４９に挿入され、先端係止部４３、５０の各々を外方（篭本体１の右側面側または左側面側）に移動するように付勢されている。このように、可動食器支持体２３、２４の係止機構部３９は、可動食器支持体２３、２４側の各々に対称配置にしているものである。
【００４７】
先端係止部４３、５０の各々には、傾斜面４３ａ、５０ａが形成されており、この傾斜面４３ａ、５０ａに各々回動する可動食器支持体２３、２４の外周面が接触して、摺動し、圧縮コイルバネ４４、５１に抗して可動線材４２、４９を移動させるようになっている。
【００４８】
なお、複数重ねた円形状の食器２００の一方（食器の収納方向と対向する側）の半周側の周端部を支持する固定食器支持体２１、２２と、食器２００の他方（食器の収納方向側）の半周側の周端部を支持する可動食器支持体２３、２４の配置の一例を図１１に示す。固定食器支持体２１、２２の各々は、食器２００の中心を挟んでθ１、θ２の角度として一方の半周側の周端部を支持する。また、可動食器支持体２３、２４の各々は、食器２００の中心を挟んでθ３、θ４の角度として他方の半周側の周端部を支持する。θ１〜θ４の各々は、例えば１０〜４５度に設定されている。
【００４９】
固定食器支持体２１、２２、可動食器支持体２３、２４の各々の配置は一例であってこれに限定されるものではない。固定食器支持体２１、２２の数は２本としたが、これよりも多い例えば３から６本としてもよい。この場合食器位置規制部材３７は、食器２００の中心を挟んだ両側に一個ずつ固定すればよい。
【００５０】
図１０、図１１に示す篭本体１を縦方向（鉛直方向）から横方向（水平方向）にした姿勢（運搬時等における姿勢）においては、固定食器支持体２１、２２を下方側、可動食器支持体２３、２４を上方側に位置している。さらには、食器２００の収納、取り出しを行う開口３００を上方側としている。これは、開口３００側に取手１４、１５を設け、これを持つようにしたことによって実現させているものである。
【００５１】
次に、前記した本発明の実施形態１の食器篭の基本構成における食器の収納または取出し時、および食器の収納後の操作、状態を説明する。
【００５２】
先ず、食器の収納時における操作、状態を説明する。複数の食器２００が収納されていない食器篭おいて、図２、図７に示すように回動部材２５が回動支点部２７を支点として食器２００の周端部を支持する位置（篭本体１の内方向）に回動し、回動部材２５の一方の端面が回動規制突部３３に当たって位置を規制されている。また、回動部材２６が回動支点部２８を支点として食器２００の周端部を支持する位置（篭本体１の内方向）に回動し、回動部材２６の一方の端面が回動規制突部３５に当たって位置を規制されている。
【００５３】
また、回動部材２９が回動支点部３１を支点として食器２００の周端部を支持する位置（篭本体１の内方向）に回動し、回動部材２９の一方の端面が回動規制突部３４に当たって位置を規制されている。また、回動部材３０が回動支点部３２を支点として食器２００の周端部を支持する位置（篭本体１の内方向）に回動し、回動部材３０の一方の端面が回動規制突部３６に当たって位置を規制されている。
【００５４】
このとき、回動部材２５、２６に固定した可動食器支持体２３、および、回動部材２９、３０に固定した可動食器支持体２４の各々が食器２００の周端部を支持する位置（篭本体１の内方向）に回動している。さらに、図７に示すように、可動食器支持体の係止機構部（係止手段）３９を構成する可動線材４２の先端係止部４３が可動食器支持体２３の下端側の外周面に接触または近接し、先端係止部４３で可動食器支持体２３の外側への回動を阻止し、可動食器支持体２３を食器２００の周端部を支持する位置に係止している。
【００５５】
また、可動線材４９の先端係止部５０が可動食器支持体２４の下端側の外周面に接触または近接し、先端係止部５０で可動食器支持体２４の外側への回動を阻止し、可動食器支持体２４を食器２００の周端部を支持する位置に係止している。
【００５６】
次に、前記した可動食器支持体２３、２４の各々が食器２００の周端部を支持する位置に係止している状態から、学校給食、病院等において喫食に用いた複数の食器２００を収納する操作、状態を説明する。なお、複数の食器は喫食に用いたもの以外のもの（例えば喫食に用いてない新しい食器、洗浄済の食器）も含むことはもちろんである。
【００５７】
可動食器支持体２３、２４の各々を食器２００の周端部を支持する位置に係止している状態から、図８に示すように、可動食器支持体２３、２４の係止機構部３９を構成する摘み部（操作部）４５、５２の部分を一方の手の指で掴み、圧縮コイルバネ４２、５１の付勢力に抗して内方に移動させる。この可動食器支持体の係止解除の操作によって可動線材４２、４９も内方に移動し、先端係止部４３、５０が可動食器支持体２３、２４の各々から外れる。
【００５８】
先端係止部４３、５０が可動食器支持体２３、２４の各々から外れると、トーションバネ（回動付勢手段）５４、５５の付勢力によって可動食器支持体２３、２４の各々が食器２００の周端部を支持する位置から可動食器支持体２３、２４同士が互いに離れる方向で外方（右側面側、左側面側）に回動支点部２７、３１を中心として両開き（観音開き）状態に回動、移動する。
【００５９】
図１に示すように、外方に回動させた可動食器支持体２３の停止位置は、回動部材２５、２６が連結線材１１に接触し規制される。また、可動食器支持体２４の停止位置は、回動部材２９が枠線材３に設けた突部３ａに接触し規制される。この後、係止機構部（係止手段）３９を構成する摘み部４５、５２の部分から手の指を離すと、圧縮コイルバネ４４、５１の付勢力により、可動線材４２、４９も外方に移動し、先端係止部４３、５０は元の位置に戻ることになる。
【００６０】
また、図１に示すように、可動食器支持体２３、２４に固定した各々の食器位置規制部材３７も可動食器支持体２３、２４とともに外方に回動、移動する。
【００６１】
なお、外方に回動させ停止させた可動食器支持体２３、２４間の内側の距離は、少なくとも収納する食器２００の外径よりも大きくすれば、開口部３００を構成する枠線材２、３間、可動食器支持体２３、２４間から食器２００を通過させ、食器２００の周端部が固定食器支持体２１、２２に当たるまで押し込んで収納部１００内に収納することができる。
【００６２】
可動食器支持体２３、２４を外方に回動させ停止させた状態において、篭本体１の正面側の開口部３００から食器２００を、裏面側（糸尻側）を下にして挿入し、受台２０上に載せるとともに、食器２００の周端部が固定食器支持体２１、２２に当たるまで押し込んで収納部１００に収納する。このとき、固定食器支持体２１、２２は、挿入方向と対向する円形状の食器２００の半周側の周端部を複数個所に亘って支持することによって、食器２００の中心を所定の位置に収めることができる。この後、順次食器２００を挿入し、既に収納した食器２００の上に次の食器２００を載せて予め定めた数を積み上げていく。
【００６３】
予め定めた数（例えば１０〜４０個）の複数の食器２００の挿入、収納の仕方は、一個ずつ順次積み上げて収納してもよいが、複数の数ごとに区分けして挿入、収納してもよい。
また、予め定めた数の複数の食器２００全体を予め積み上げた後、最下端側の食器２００の裏面を受台２０上に載せ固定食器支持体２１、２２に当たるまで押し込んで収納してもよい。
【００６４】
次に、予め定めた数の複数の食器２００全体を収納した後、可動食器支持体２３、２４を篭本体１の内方に回動させ、食器２００の周端部を支持する位置に係止する操作、状態を説明する。
【００６５】
先ず、可動食器支持体２３、２４を篭本体１の内方に回動させる。図６（ａ）に示すように、各々回動する可動食器支持体２３、２４の外周面が先端係止部４３、５０の各々に形成した傾斜面４３ａ、５０ａに接触、摺動し、圧縮コイルバネ４４、５１に抗して可動線材４２、４９を内方に押し込んで移動させる。
【００６６】
さらに、図６（ｂ）に示すように、可動食器支持体２３、２４を内方に回動させると、可動食器支持体２３、２４の中心が傾斜面４３ａ、５０ａの先端（先端係止部４３、５０の先端）に達し、さらに、可動食器支持体２３、２４を内方に回動させると、図６（ｃ）に示すように、可動食器支持体２３、２４は食器２００の周端部を支持する位置に移動し、
可動線材４２、４９が圧縮コイルバネ４４、５１の付勢力によって外方に移動し、先端係止部４３、５０は図２、図７に示す位置に戻ることになる。
【００６７】
図２、図７に示すように、内方に回動させた可動食器支持体２３の停止位置（可動食器支持体２３、２４の食器２００の周端部を支持する位置）は、回動部材２５、２６が回動規制突部３３、３５に接触し規制される。また、可動食器支持体２４の停止位置は、回動部材２９、３０が回動規制突部３４、３６に接触し規制される。なお、可動食器支持体２３、２４の食器２００の周端部を支持する位置は、回動部材２５、２６、２９、３０が、回動規制突部３３、３４、３５、３６接触することによって予め設定されている。
【００６８】
さらに、可動線材４２の先端係止部４３が可動食器支持体２３の下端側の外周面に接触または近接し、先端係止部４３で可動食器支持体２３の外側への回動を阻止し、可動食器支持体２３を食器２００の周端部を支持する位置に係止する。
【００６９】
また、可動線材４９の先端係止部５０が可動食器支持体２４の下端側の外周面に接触または近接し、先端係止部５０で可動食器支持体２４の外側への回動を阻止し、可動食器支持体２４を食器２００の周端部を支持する位置に係止する。
【００７０】
これにより、食器篭に収納した複数の食器は、重ね方向の各々の周端部が固定食器支持体２１、２２、および可動食器支持体２３、２４によって支持される。したがって、収納後の複数の食器２００を確実に支持し、食器２００の飛び出し、脱落、食器の破損を防止することができる。
【００７１】
以上のように、係止機構部（係止手段）３９は、可動食器支持体２３、２４を、食器２００の周端部を支持する位置に係止する先端係止部４３、５０と、前記先端係止部４３、５０に有する傾斜面４３ａ、５０ａと、食器２００の周端部を支持する位置にある前記可動食器支持体２３、２４を係止する方向に付勢する係止付勢手段４４、５１と、を備え、前記可動食器支持体２３、２４を前記先端係止部４３、５０の傾斜面４３ａ、５０ａへ当接、摺動させて前記係止付勢手段４４、５１の付勢力に抗して先端係止部４３、５０を移動させ、前記可動食器支持体２３、２４が先端係止部４３、５０の傾斜面４３ａ、５０ａの先端を通過した後、前記係止付勢手段４４、５１の付勢力により先端係止部４３、５０を移動させて可動食器支持体２３、２４を食器２００の周端部を支持する位置に係止するものである。
【００７２】
これにより、係止機構部３９を何ら操作することなく、可動食器支持体２３、２４を回動させるのみで、可動食器支持体２３、２４を、食器２００の周端部を支持する位置に係止することができる。したがって、可動食器支持体２３、２４の係止を確実に行うことができるとともに操作を簡素化することができる。
【００７３】
また、実施形態１においては、積み重ねた複数の食器２００を出し入れする縦方向の姿勢にした篭本体１の載置面側となる下面側に係止機構部（係止手段）３９を配置し、前記係止機構部３９による可動食器支持体２３、２４の係止解除を篭本体１の内側から操作できるようにしたものである。
【００７４】
これにより、食器２００を収納するときの縦方向の姿勢にした篭本体１の載置面（例えば作業台）の高さが低い場合、係止機構部３９が篭本体１の載置面側となる下面側に位置することによって、係止機構部３９の操作目線が斜め上側から下側となり操作を確実に、容易に行うことができる
【００７５】
図１の側方図である図９に食器を収納した後の食器篭の状態を示す。この状態において、
予め定めた数を収納した複数の食器２００の最下端側に位置する食器２００の裏面と最上端側に位置する食器２００の表面間の距離（Ｌ１）に対して、受台２０の上面と食器位置規制部材３７の下面の距離を、所定寸法（Ｌ２）の分、大きくして収納するものである。
この、所定寸法（Ｌ２）は例えば１０〜２０ミリメートルに設定する。これは、後述する噴射した洗浄水により、互いに隣り合う食器間を前記所定寸法（Ｌ２）分離して離間させ、複数の食器を順次洗浄するために設けるものである。また、所定寸法（Ｌ２）設けることによって、一個ずつ収納する場合に最上端側に収納する食器２００の挿入をしやすくする効果がある。
【００７６】
食器２００は、例えば１０〜４０個の範囲で予め定めた数を収納するが、食器の収納数に応じて食器位置規制部材３７の固定食器支持体２１、２２、可動食器支持体２３、２４への固定位置を調節し、収納する食器２００の数に拘らず、前記所定寸法（Ｌ２）を確保する。なお、食器位置規制部材３７は、食器２００の表面側の周端部に当接する大きさ（外径）であればよい。
【００７７】
図１０、図１１に食器を収納した食器篭の横方向の姿勢を示す。図２に示す食器を収納した食器篭を、取手１４、１５を持つことによって、図１０、図１１に示すように、縦方向（鉛直方向）から横方向（水平方向）の姿勢となる。このとき固定食器支持体２１、２２が下方側、可動食器支持体２３、２４が上方側に位置している。さらには、食器２００の収納、取り出しを行う開口３００が上方側に位置している。これは、開口３００側に取手１４、１５を設け、これを持つようにしたことによって実現させているものである。
【００７８】
また、この食器篭の姿勢において、収納した食器は、前記所定寸法（Ｌ２）の範囲において、食器２００の裏面側を下方として収納した複数の食器２００の全体が所定角度傾斜した姿勢となる。この傾斜角度は５〜１０度が好ましい。さらに、収納した複数の食器２００の全質量は、固定食器支持体２１、２２にかかり、可動食器支持体２３、２４にはかからず、複数の食器２００の上方への移動または脱落を防止する。
【００７９】
この食器篭の横方向の姿勢において、取手１４、１５を持って運搬するものである。さらに、食器２００を収納した食器篭の食器洗浄装置での洗浄または消毒保管庫での洗浄後の熱風による消毒乾燥を行うものである。
【００８０】
図１０、図１１に示した食器篭の姿勢における収納した食器の洗浄方法の一例を説明する。食器２００の表面側を先頭にして食器篭ごと食器洗浄装置（図示なし）に搬入し、食器洗浄装置内を食器２００の重ね方向に移動させる。食器洗浄装置内に有するノズルから移動する食器２００の重ね方向に順次洗浄水を噴射し、互いに隣り合う食器２００を前記所定寸法（Ｌ２）分に相当する距離を離して離間させ、この離間した間隔に入った高圧洗浄水の流動により、食器２００の喫食による汚れを除去する。離間時、食器２００の全体が傾斜姿勢から略鉛直方向の姿勢に変化している。
【００８１】
前記した洗浄時において、可動食器支持体２３、２４によって食器２００の上方への移動を規制し、安定した姿勢を維持して効率よく洗浄を行うことができ、さらに、食器篭外への飛び出し、脱落を防止することができる。なお、洗浄時、消毒乾燥時においては運搬時のような衝撃が少ないため、食器篭の横方向の姿勢において、固定食器支持体２１、２２側が下方、可動食器支持体２３、２４側が上方となってなくてもよい。
【００８２】
図１０、図１１に示した食器篭の姿勢において、台車、消毒保管庫、トラック等による運搬を行うが、この運搬時に食器篭に収納した食器２００に振動、衝撃がかかる。このとき収納した複数の食器２００の全質量は、上方側に位置する可動食器支持体２３、２４にはかからず、下方側に位置する固定食器支持体２１、２２で受けていることによって、可動食器支持体２３、２４の回動機構部、係止機構部３９にかかる振動、衝撃力が弱められる。したがって、可動食器支持体２３、２４の回動機構部、係止機構部３９の構成の簡素化、耐久性の向上を図ることができる。さらに、可動食器支持体２３、２４によって、食器２００の飛び出し、脱落、食器の破損を防止することができる。
【００８３】
さらに、複数の食器２００を収納した後、可動食器支持体２３、２４を食器２００の周端部を支持する位置に回動、移動させる操作、および係止機構部３９によって可動食器支持体２３、２４を係止、固定する操作を万一行わず、図２に示す複数の食器２００を収納した縦方向の姿勢の食器篭を、取手１４、１５を持って図１０、図１１に示すように、横方向（水平方向）の姿勢としてしまうことも考えられる。この場合、前記したように食器２００の収納、取り出しを行う開口３００が上方側となっていることから食器２００の飛び出し、脱落、食器の破損を防止することができる。
【００８４】
したがって、複数の食器２００を収納した縦方向の姿勢の食器篭を、取手１４、１５を持って図１０、図１１に示すように、横方向（水平方向）の姿勢とした後、可動食器支持体２３、２４の回動、移動、および係止機構部３９によって可動食器支持体２３、２４を係止、固定する操作を行ってもよい。また、横方向（水平方向）の姿勢とし食器篭に、上側となった開口部３００から複数の食器２００を収納することもでき、食器２００の収納、取り出しの自由度をより増すことができる。
【００８５】
次に、食器２００を食器篭から取り出す操作、状態を説明する。洗浄、消毒乾燥、保管等の工程を経て運搬されてきた食器篭から、喫食前の食器の取り出しは、先ず図１０、図１１に示す横方向（水平方向）の食器篭の姿勢で運搬されてきた食器篭を図２に示す縦方向の姿勢とする。
【００８６】
さらに、図８に示すように、可動食器支持体の係止機構部３９を構成する摘み部４５、５３の部分を一方の手の指で掴み、圧縮コイルバネ４４、５１の付勢力に抗して内方に移動させる。これにともなって可動線材４２、４９も内方に移動し、先端係止部４３、５０が可動食器支持体２３、２４の各々から外れる。
【００８７】
先端係止部４３、５０が可動食器支持体２３、２４の各々から外れると、トーションバネ５４、５５の付勢力によって可動食器支持体２３、２４の各々が食器２００の周端部を支持する位置から可動食器支持体２３、２４同士が互いに離れる方向で外方（右側面側、左側面側）に回動支点部２７、３１を中心として回動、移動する。
【００８８】
図１に示すように、外側に回動させた可動食器支持体２３の停止位置は、回動部材２５、２６が連結線材１１に接触し規制される。また、可動食器支持体２４の停止位置は、回動部材２９が枠線材３に設けた突部３ａに接触し規制される。この後、可動食器支持体の係止機構部３９を構成する摘み部４５、５２の部分から手の指を離すと、圧縮コイルバネ４４、５１の付勢力により、可動線材４２、４９も外方に移動し、先端係止部４３、５０は元の位置に戻ることになる。
【００８９】
この状態において、積み重ねた複数の食器２００の全数を開口部３００から一度に取り出すか、または、積み重ねた複数の食器２００の上端側から一個ないし複数個ずつ順次取り出す。取り出した食器２００は順次喫食に用いられるものである。
【００９０】
以上のように、本発明の食器篭は、食器２００の一方の半周側の周端部を重ね方向に沿って支持する篭本体１に固定した複数の固定食器支持体２１、２２と、前記食器２００の他方の半周側の周端部を重ね方向に沿って支持する押え用の複数の可動食器支持体２３、２４と、前記可動食器支持体２３、２４の長手方向の両端の各々に固定した回動部材２５、２６、２９、３０と、前記篭本体１に備えた回動部材２５、２６、２９、３０の回動支点部２７、２８、３１、３２と、前記可動食器支持体２３、２４を、回動支点部２７、２８、３１、３２を中心として食器２００の周端部を支持する位置から離れる方向に回動付勢する回動付勢手段５４、５５と、前記可動食器支持体２３、２４の各々を食器２００の周端部を支持する位置に係止する係止手段３９と、を備え、前記係止手段３９による可動食器支持体２３、２４の係止解除の操作によって、前記可動食器支持体２３、２４の各々を前記回動付勢手段５４、５５の付勢力により回動させて食器２００の周端部を支持する位置から可動食器支持体２３、２４同士が互いに離れる方向で、かつ食器２００の外径よりも大きい位置に移動させ、前記可動食器支持体２３、２４間から食器２００の収納および取出しを行うものである。
【００９１】
これにより、複数の可動食器支持体２３、２４の各々を互いに離して、食器２００の周端部を支持する位置から食器２００が通過できる位置に移動させ、この移動させた可動食器支持体２３、２４間から食器２００の収納および取出しを可能とするもので、各々の可動食器支持体２３、２４の移動距離が小さく、前記従来の食器篭のような広い作業スペースを必要としない。さらに、係止手段３９による可動食器支持体２３、２４の係止解除の操作のみで、可動食器支持体２３、２４の各々を回動付勢手段５４、５５の付勢力により回動させて食器が通過できる位置に自動的に移動させることができる。したがって、食器の収納および取り出しを行う際の省スペース化が図れるとともに、操作および構成を簡素化することができる。
【００９２】
次に、喫食に用いた複数の食器２００を再び収納する操作、状態を説明する。食器２００を食器篭から取り出した状態において、可動食器支持体２３、２４の各々を外方に回動させたままの場合は、既に食器を収納できる状態にあり、前記した動作により複数の食器２００を収納する。
【００９３】
また、食器２００を食器篭から取り出した状態において、可動食器支持体２３、２４の各々を内方に回動させ、かつ係止機構部３９により可動食器支持体２３、２４の各々を係止した状態にした場合は、前記したように可動食器支持体２３、２４の各々を外方に回動させる動作から操作し複数の食器２００を収納する。
【００９４】
以降、喫食に用いた複数の食器２００を収納した食器篭は、前記したように洗浄、消毒乾燥、保管のサイクルを繰り返すことになる。
【００９５】
なお、本実施形態においては、可動食器支持体２３、２４の各々の係止解除後の回動角度範囲を、食器２００を支持する位置から略９０度として移動させているが、これに限定するものではなく、少なくとも可動食器支持体２３、２４の各々を、食器２００を支持する位置から可動食器支持体２３、２４同士が互いに離れる方向で、かつ食器２００の外径よりも大きい位置に移動させ前記可動食器支持体２３、２４間から食器２００の収納および取出しを行うようにすればよい。例えば可動食器支持体２３、２４の内側の位置の各々を枠線材２、３の位置またはこの外側まで移動させることによって食器２００の収納および取出しがより容易となって好ましい。
【００９６】
また、複数の食器２００の重ね方向の先頭に位置する食器２００の表面と、最後尾に位置する食器２００の裏面との距離を調整する食器位置調整部材３７を可動食器支持体２３、２４および固定食器支持体２１、２２に備え、可動食器支持体２３、２４に備えた食器位置調整部材３７を、可動食器支持体２３、２４とともに食器２００の外径よりも大きい位置に各々移動させ、食器２００の収納および取出しを行う。
【００９７】
これにより、可動食器支持体２３、２４とともに食器位置調整部材３７も移動し、かつ食器位置調整部材３７間は食器２００の外径よりも大きい位置に各々移動することで食器２００の収納および取り出しをより容易に行うことができる。さらには、食器位置調節部材３７の外周部が枠線材２、３の位置または外側まで移動させることによって食器２００の収納をよりやり易くして好ましい。
【００９８】
なお、可動食器支持体２３、２４の係止機構部（係止手段）３９の構成は、実施形態に限定されるものではなく、可動食器支持体２３、２４を複数の食器２００の周端部を支持する位置に係止できる構成であればよい。
【００９９】
また、実施形態において、食器篭を洗浄、消毒乾燥、保管等を行う用途として説明したが、食器２００の収納、保管、運搬の一般的な用途にも用いることができる。
【０１００】
（実施形態２）
図１２は本発明の実施の形態２の縦方向の姿勢の食器篭における正面図、図１３は図１２における上面図である。図１〜図１１と同一番号は同一箇所を示し説明を省略する。
実施形態１においては、可動食器支持体２３、２４の係止機構部（係止手段）３９を、篭本体１の下方側（可動食器支持体２３、２４の下端側、受板２０側）に設けたが、実施形態２においては、積み重ねた複数の食器２００を出し入れする縦方向の姿勢にした篭本体１の上面側（可動食器支持体２３、２４の上端側）に係止機構部３９を配置し、前記係止機構部３９による可動食器支持体２３、２４の係止解除を篭本体１の内側から操作できるようにしたものである。
【０１０１】
これにより、食器２００を収納するときの縦方向の姿勢にした篭本体１の載置面（例えば作業台）の高さが高い場合、係止機構部３９が篭本体１の上面側に位置することによって、係止機構部３９の摘み部４５，５２の操作目線がほぼ水平、または斜め下側から上側となり操作を確実に、容易に行うことができる。なお、実施形態２においては、係止機構部３９を固定部材１８に固定しているものである。
【０１０２】
（実施形態３）
図１４は本発明の実施の形態３の食器篭の食器の収納または取出し時の状態を示す斜視図、図１５は食器の収納時の状態を示す斜視図である。図１〜図１１と同一番号は同一箇所を示し説明を省略する。
【０１０３】
実施形態１と異なるところは、図１、図２における連結線材６の中央部を削除し、新たに枠線材２側に連結線材６ａ、枠線材３側に連結線材６ｂとして固定し、さらに固定部材１８の中央部（連結線材６ａと６ｂ間）を削除し、枠線材２側に固定部材１８ａ、枠線材３側に固定部材１８ｂとして固定したものである。また、前記構成の変更にともない、取手１４、１５を枠線材２、３側に各々設けたものである。なお、１４ａ、１５ａは枠線材２、３に固定した取手１４、１５の位置決め部材である。さらに、前記した構成とするとともに、固定部材１９、連結線材６ａ、６ｂとにより、篭本体１の上面にも食器２００の収納、取り出しを可能とする開口部４００を形成させたものである。
【０１０４】
前記した構成において、可動食器支持体２３、２４の各々を回動させて、食器２００の周端部を支持する位置から可動食器支持体２３、２４同士が互いに離れる方向で、かつ食器２００の外径よりも大きい位置に移動させたとき、篭本体１の上面の開口部４００および正面の開口部３００から食器２００の収納および取出しを可能とするものである。
【０１０５】
これによって、収納および取出し方向が多面となり、より容易に食器２００の出し入れを行うことができる。さらに、例えば縦方向の姿勢の篭本体１を載せる作業台等の高さが比較的高い場合には、正面の開口部３００から食器２００の収納および取出しを行い、作業台等の高さが比較的低い場合には、上面の開口部４００から食器２００の収納および取出しを行うことができる。また、開口部４００と開口部３００を介して斜め上方から食器２００の収納および取出しを行うこともできる。このように状況に応じてさらに容易に食器２００の出し入れを行うことができるものである。
【０１０６】
また、積み重ねた複数の食器２００を出し入れする縦方向の姿勢にした篭本体１の載置面側となる下面側に係止機構部３９を配置し、前記係止機構部３９による可動食器支持体２３、２４の係止解除を篭本体１の内側から操作できるようにしたものである。
【０１０７】
これにより、食器を収納するときの縦方向の姿勢にした篭本体の載置面（例えば作業台）の高さが低い場合、係止機構部３９が篭本体の載置面側となる下面側に位置することによって、係止機構部３９の操作目線が篭本体１の上面の開口部４００および正面の開口部３００を介して斜め上側から下側となり操作を確実に、容易に行うことができる
【産業上の利用可能性】
【０１０８】
食器に限らず、食器以外の複数の被収納物を収納する用途にも適用することができる。
【符号の説明】
【０１０９】
１  篭本体
２  枠線材
３  枠線材
３ａ  突部
４  連結線材
５  連結線材
６  連結線材
６ａ  連結線材
６ｂ  連結線材
７  連結線材
８  連結線材
９  中線材
１０  中線材
１１  連結線材
１２  連結線材
１３  連結線材
１４  取手
１４ａ  位置決め部材
１５  取手
１５ａ  位置決め部材
１６  固定部材
１７  固定部材
１８  固定部材
１８ａ  固定部材
１８ｂ  固定部材
１９  固定部材
２０  受板
２１  固定食器支持体
２２  固定食器支持体
２３  可動食器支持体（被係止部材）
２４  可動食器支持体（被係止部材）
２５  回動部材（回動機構部）
２５ａ  付勢受突部
２６  回動部材（回動機構部）
２７  回動支点部（回動機構部）
２８  回動支点部（回動機構部）
２９  回動部材（回動機構部）
２９ａ  付勢受突部
３０  回動部材（回動機構部）
３１  回動支点部（回動機構部）
３２  回動支点部（回動機構部）
３３  回動規制突部
３４  回動規制突部
３５  回動規制突部
３６  回動規制突部
３７  食器位置規制部材
３７ａ  規制部材半部
３７ｂ  規制部材半部
３７ｃ  内面部
３７ｄ  内面部
３８ａ  ボルト
３８ｂ  ナット
３９  係止機構部（係止手段）
４０  支持リング
４１  支持リング
４２  可動線材
４３  先端係止部（係止部材）
４３ａ  傾斜面
４４  圧縮コイルバネ（係止付勢手段）
４５  摘み部（操作部）
４６  補強部
４７  支持リング
４８  支持リング
４９  可動線材
５０  先端係止部（係止部材）
５０ａ  傾斜面
５１  圧縮コイルバネ（係止付勢手段）
５２  摘み部（操作部）
５３  補強部
５４  トーションバネ（ねじり圧縮コイルバネ、回動付勢手段）
５４ａ  コイル部
５４ｂ  直線部
５４ｃ  直線部
５５  トーションバネ（ねじり圧縮コイルバネ、回動付勢手段）
５５ａ  コイル部
５５ｂ  直線部
５５ｃ  直線部
１００  収納部
２００  食器
３００  開口部
４００  開口部
【図１】
0005560047.tif 000002
【図２】
0005560047.tif 000003
【図３】
0005560047.tif 000004
【図４】
0005560047.tif 000005
【図５】
0005560047.tif 000006
【図６】
0005560047.tif 000007
【図７】
0005560047.tif 000008
【図８】
0005560047.tif 000009
【図９】
0005560047.tif 000010
【図１０】
0005560047.tif 000011
【図１１】
0005560047.tif 000012
【図１２】
0005560047.tif 000013
【図１３】
0005560047.tif 000014
【図１４】
0005560047.tif 000015
【図１５】
0005560047.tif 000016